【事件の表示】
　平成　９年特許願第２０６３４２号「画像読み取り装置」拒絶査定不服審判事件〔平成１１年　２月２６日出願公開、特開平１１−　５５４７６〕について、次のとおり審決する。
【結　論】
　本件審判の請求は、成り立たない。
【理　由】
１．手続きの経緯
　本願は、平成９年７月３１日の出願であって、平成１７年２月２１日付で拒絶査定がされ、これに対して同年３月３１日に拒絶査定不服審判が請求されるとともに、同年４月２７日付で手続補正がなされたものである。
　
２．平成１７年４月２７日付の手続補正についての補正却下の決定
［補正却下の決定の結論］
　平成１７年４月２７日付の手続補正を却下する。
　
［理由］
（１）補正後の本願発明
　本件補正により、特許請求の範囲の請求項１（請求項の数は全部で６である。）は、
「光源と、一定長さを有する透明部材からなる導光部材と、所定の画像読み取りライン方向に並べられており、かつ所定の画像読み取り領域から進行してくる光を受光する複数の受光素子と、これら複数の受光素子を実装した回路基板とを具備し、かつ上記導光部材は、その長手方向端部内に入射してこの導光部材の長手方向に進行する光を上記画像読み取りライン方向に延びる一側面の全域または略全域から出射する、画像読み取り装置であって、
　上記光源は、上記回路基板に実装されており、かつ、
　上記光源に対向する受光面を有するとともに、この受光面に進行してきた光を上記導光部材の長手方向端部内に入射させてからこの導光部材の長手方向に進行させる光ガイド部が、上記導光部材を構成する透明部材によって上記導光部材と一体または別体に形成されているとともに、
　上記光ガイド部は、上記受光面からこの光ガイド部内に入射した光を上記導光部材の長手方向中央部に向けて反射させる傾斜面を有しており、かつ、
　上記光ガイド部のうち、上記傾斜面からその両側面にわたる領域が、樹脂一体成形され、かつ上記光ガイド部の上記傾斜面および上記両側面に対向する面が連続しているとともに光の反射率が高い滑らかな面とされた光反射部材によって覆われていることを特徴とする、画像読み取り装置。」と補正された。
　上記補正は、補正前の特許請求の範囲の請求項１に記載された発明を特定するために必要な事項である「光ガイド部」について具体的な限定を付加して補正後の請求項１とするものであって、特許法１７条の２第４項２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法１７条の２第５項において準用する同法１２６条５項の規定に適合するか）について検討する。
　
（２）引用例
［引用例１］
　原査定の拒絶の理由に引用された実願昭６１−５３３４４号（実開昭６２−１６４３３６号）のマイクロフィルム（以下、「引用例１」という。）には、図面と共に、次の記載がある。 
　
　ア　「本考案は、複写機、ファクシミリ、液晶プリンタ、イメージリーダー等の画像形成装置に使用される光源装置に関する。
［従来技術］
　従来、液晶プリンタ等の画像形成装置には、棒状或いは、帯状光源として、蛍光灯が広く用いられている。この蛍光灯は、白熱電球に比較すれば発熱量は少ないが、長時間使用した場合は、相当量の熱が放出され、熱の影響を受け易い液晶プリンタ等に用いることは好ましくなかった。
　そこで、これを解決するとともに、光源からの光を光伝送体へ導き、光源で発生した熱を光の利用部位に持ち込まない構成の光源装置が提案されている。第６図はこの様な光源からの光を光伝送体で導いて使用する光源装置の概略構成図である。
　同図に基づいて、光源装置の構成を説明する。光源１から放出された光は、直接、或いは、反射鏡２、導光筒２ａを介しての入射面３ａより光伝送ロッド３へ入射される。入射光は、光伝送ロッド３の内部を壁面反射を繰り返しながら長手方向へ伝播される。また、光伝送ロッド３には、拡散縞４が帯状に設けられている。光伝送ロッド３を伝播している光は、拡散縞４で拡散され、前記拡散縞４と１８０°点対称の方向へ出射光５として出射される。この出射光５は、冷光光源として前述の装置等に利用される。」（１頁１６行〜３頁１行）
　
　イ　「したがって、イメージリーダー、液晶プリンタ等の画像形成装置の光源システムとして設けた場合画像形成装置のある一方向の長さが光源の長さに依存する為、画像形成装置の光源に対応する方向の長さが長くなる傾向にあった。又、光源の位置が光伝送ロッド３の位置によって決められてしまい前記装置の設計上不都合であった。
［考案の目的］
　本考案は上記従来の欠点に鑑み、光源部と光伝送ロッドの位置関係を各種方向に可変可能とすることにより、光源装置を使用する画像形成装置等の形状を長くする（大型化する）ことなく、設計上の自由度を向上することを可能にする光源装置を提供することを目的とする。」（３頁７行〜２０行）
　
　ウ　「本考案は上記目的を達成するために、光源と、該光源からの光を周囲の一部に拡散処理を施した透明ロッドの一端の入射面より入射し、該入射光を前記透明ロッドの他端側に伝送すると共に周方向へ出射する光源装置において、前記透明ロッドの端部は内面に光反射処理を施した傾斜端面と、周面の一部を平面状に切り欠いた光入射面を有し、前記光源は前記光入射面に接離可能に対向配設されていることを特徴とする。」（４頁２行〜１０行）
　
　エ　「以上の様な画像形成工程中ハロゲンランプ３９（光源部３０）からの光は、第１図に示すように矢印ａで示す方向へ出射され、光伝送対１３の入射部３３に入射する。この入射光はコールドミラー３２ａで反射され、光伝送ロッド１３ａ中を進んで前述の拡散縞３６で拡散され、拡散縞３６と１８０°点対称の方向に位置するスリット３７を介して出射光ｂとして出射される。この出射光ｂは線状光束となって出射される。そしてこの出射光は前述の液晶光シャッタ１５へ照射され、上述の画像形成工程の光源として利用される。」（１０頁５行〜１５行）
　　
　したがって、上記アないしエの記載及び図面から、引用例１には、「光源と、該光源からの光を周囲の一部に拡散処理を施した透明ロッドの一端の入射面より入射し、該入射光を前記透明ロッドの他端側に伝送すると共に周方向へ出射する光源装置を使用したイメージリーダーにおいて、前記光源部と透明ロッドの位置関係を各種方向に可変可能として、設計上の自由度を向上させるために、前記透明ロッドの端部は内面に光反射処理を施した傾斜端面と、周面の一部を平面状に切り欠いた光入射面を有し、前記光源は前記光入射面に接離可能に対向配設されている、光源装置を使用したイメージリーダー」の発明（以下、「引用発明」という。）が開示されていると認めることができる。
　
［引用例２］
　原査定の拒絶の理由に引用され、本願出願前である平成９年７月３日に公開された、国際公開第９７／２３９９１号パンフレット（以下、「引用例２」という。）には、図面と共に、次の記載がある。 
　
　オ　「本願発明は、ファクシミリ、イメージスキャナ、コピー機などに用いられる密着型イメージセンサに関する。」（１頁４行〜５行）
　
　カ　「以上の構成の密着型イメージセンサ１０においては、光源としてのＬＥＤチップ１６は、できるだけ効率よく被写体Ｄに光を照射できるようにするために、底部の基板１２とは別の傾斜状基板１７に搭載する必要がある。従って、２種類の基板１２、１７を別々に取り付ける必要があり、イメージセンサ１０の組み立て作業が面倒であるという問題がある。また、２種類の基板１２、１７が含まれる分だけ部品点数も多くなり、構成も複雑となってコストアップとなる。」（２頁５行〜１０行）
　
　キ　「上記底部基板２３の上面における一方の長手縁部に沿って、複数個のイメージセンサチップ２４が長手方向のアレイ状に取付けられている。また、同一の底部基板２３の上面における他方の長手縁部に沿って、光源として複数個のＬＥＤチップ２５が長手方向に間隔をあけて列状に取付けられている。本実施例では、各ＬＥＤチップ２５として、樹脂パッケージの施されていないベアチップ（裸のチップ）が使用されている。
　また、上記のケース２１の内部空間Ｓには、上記ＬＥＤチップ２５からの光を効率的に上記ガラスカバー２２上の被写体Ｄに照射するための透明樹脂製の導光部材２６が収容されている。本実施例では、図５に示すように、導光部材２６は所定の断面形状を有するプリズムの形態であり、水平な第１入光面２６ａと、傾斜状の第２入光面２６ｂと、傾斜状の第１全反射面２６ｃと、垂直な第２全反射面２６ｄと、傾斜状の出射面２６ｅと、を有している。プリズム２６を構成する透明樹脂材料としては、ポリメチルメタクリレート（ＰＭＭＡ）、ポリカーボネート、ポリスチレンなどが好適である。」（５頁５行〜１８行）
　
（３）対比
　引用発明の「イメージリーダー」は、本願補正発明の「画像読み取り装置」に相当する。
　引用発明の「透明ロッド」は、光源からの光を導いて、周方向に出射するものであること、及び、一定の長さを有する部材であることは明らかであるから、本願補正発明の「一定の長さを有する透明部材からなる導光部材」に相当する。
　引用発明の「透明ロッド」は、引用例１の前掲ア、エの記載から、線状光源として用いられるものであり、そして、イメージリーダーにおいて、線状光源の長手方向を、画像読み取りの主走査方向に平行になるように配設し、長手方向全域から光を出射することは、広く普通に行われていることある。そうすると、引用発明の「透明ロッドの一端の入射面より入射し、該入射光を前記透明ロッドの他端側に伝送すると共に周方向へ出射する」ことは、導光部材の「長手方向端部内に入射してこの導光部材の長手方向に進行する光を画像読み取りの主走査方向全域または略全域から出射する」ことであるといえる。
　引用発明の、透明ロッド端部の「周面の一部を平面状に切り欠いた光入射面」は、本願補正発明の「光源に対向する受光面」に相当する。
　引用発明における、透明ロッド端部の「内面に光反射処理を施した傾斜端面」は、引用例１の前掲ウ、エの記載から、光入射面に進行してきた光を透明ロッドの長手方向に進行させるものであるから、本願補正発明の「受光面からこの光ガイド部内に入射した光を導光部材の長手方向中央部に向けて反射させる傾斜面」に相当する。
　引用発明の「透明ロッドの端部」は、「周面の一部を平面状に切り欠いた光入射面」、及び、光入射面に進行してきた光を透明ロッドの長手方向に進行させる「内面に光反射処理を施した傾斜端面」を有していることから、本願補正発明の「光源に対向する受光面を有するとともに、この受光面に進行してきた光を上記導光部材の長手方向端部内に入射させてからこの導光部材の長手方向に進行させる光ガイド部」に相当する。さらに、引用発明の前記「透明ロッドの端部」は、透明ロッドと一体に形成されたものであるから、引用発明においても「光ガイド部が、導光部材を構成する透明部材によって導光部材と一体または別体に形成されている」といえる。
　したがって、本願補正発明と引用発明とは、「光源と、一定長さを有する透明部材からなる導光部材と、上記導光部材は、その長手方向端部内に入射してこの導光部材の長手方向に進行する光を上記画像読み取りライン方向に延びる一側面の全域または略全域から出射する、画像読み取り装置であって、上記光源に対向する受光面を有するとともに、この受光面に進行してきた光を上記導光部材の長手方向端部内に入射させてからこの導光部材の長手方向に進行させる光ガイド部が、上記導光部材を構成する透明部材によって上記導光部材と一体または別体に形成されているとともに、上記光ガイド部は、上記受光面からこの光ガイド部内に入射した光を上記導光部材の長手方向中央部に向けて反射させる傾斜面を有している、画像読み取り装置。」で一致し、次の点で相違している。
　
［相違点１］
　本願補正発明は、「所定の画像読み取りライン方向に並べられており、かつ所定の画像読み取り領域から進行してくる光を受光する複数の受光素子」と、「これらの複数の受光素子を実装した回路基板」とを有し、光源は、該回路基板上に実装されているのに対して、引用発明は、該受光素子と、該回路基板とを有しておらず、光源も回路基板上に実装されていない点。
　
［相違点２］
　本願発明は、光ガイド部のうち、傾斜面からその両側面にわたる領域が、「樹脂一体成形され、かつ光ガイド部の傾斜面および両側面に対向する面が連続しているとともに光の反射率が高い滑らかな面とされた光反射部材」によって覆われているのに対して、引用発明は、該光反射部材に相当する構成要素を有していない点。
　
（４）判断
［相違点１］について
　画像読み取り装置において、「所定の画像読み取りライン方向に並べられており、かつ所定の画像読み取り領域から進行してくる光を受光する複数の受光素子」と、「これらの複数の受光素子を実装した回路基板」とを設けること、及び、その際に、組み立てや構成の簡素化のため、「光源は、同一の回路基板に実装される」ことは、引用例２の前掲オないしキに記載されているように周知である。
　したがって、画像読み取り装置である引用発明において、引用例２に記載された周知の事項を適用し、「所定の画像読み取りライン方向に並べられており、かつ所定の画像読み取り領域から進行してくる光を受光する複数の受光素子」と、「これらの複数の受光素子を実装した回路基板」とを設け、その際に、組み立てや構成の簡素化のため、「光源を回路基板上に実装する」ことは、当業者が容易に想到できたことである。
　
［相違点２］について
　画像読み取り装置に用いられる光源において、透明部材によって構成された導光部材の強度を補強するため、及び、出射面以外の面に漏れる光を反射して光のロスを防ぐために、該導光部材の出射面以外の面を「樹脂一体成形され、かつ、導光部材の各面に対向する面が連続しているとともに、光の反射率が高い滑らかな面で構成される光反射部材」で覆うことは、慣用技術である。
　そして、引用発明の「光ガイド部」である「透明ロッドの端部」は、「透明ロッド」の一部であり、導光部材を構成するものであることは明らかである。
　したがって、引用発明において、導光部材の強度を補強するため、及び、光の漏れを防ぐために、前記慣用技術を用い、その際に導光部材の一部を構成する光ガイド部では、出射面以外の面である傾斜面からその両側面にわたる領域を、「樹脂一体成形され、かつ光ガイド部の傾斜面および両側面に対向する面が連続しているとともに光の反射率が高い滑らかな面とされた光反射部材」によって覆うことは、当業者が実施の際に適宜行うべき事項にすぎない。　
　
　なお、前記慣用技術は、例えば、本願出願前である平成９年１月１０日に公開された特開平０９−００７４１４号公報に、「【００１８】導光板保持部材４は、中央の肉厚が薄い棒状の導光板１の強度を補強することと、導光板１から光出射面１１以外の面に漏れる光を反射して光のロスを防ぐことを主な目的として設けられ、また、導光板１の収容固定を容易に、かつ確実に行うことができるような構造を備えている。すなわち、導光板保持部材４は、光反射性の良い白色系樹脂を、導光板１の左右側面１４，１４と光反射面１２を被う左右側壁４１，４１と底壁４２を備えて断面がＨ字形状（傾斜面１２ｂの領域）ないしＵ字形状（平坦面１２ａの領域）を成し、全体で所定の剛性を有する細長ケース形状に形成し、導光板１の長さよりも若干短い長さに構成している。左右側壁４１，４１は、導光板１を保持したときに光出射面から出る光の広がりを防止するために、その上端部分が導光板１の光出射面１１よりも若干上方に突出する長さに設定されているとともに、その中心よりも若干上の位置には、導光板１の左右側面１４，１４に形成した係合部と係合する係止部を構成する係止孔４３，４３が所定間隔で複数形成されている。底壁４２は、導光板１の光反射面１２に対面するように形成され、導光板１の光反射面１２と同様に、両端に一対の平坦面を有し、中央に端から中央に向けて上向きの傾斜を有する一対の傾斜面を有して構成している。」と記載されている。
　
　そして、これらの相違点を総合的に考慮しても、本願補正発明は当業者が想到し難い格別のものであるとすることはできず、また、本願補正発明の作用効果も、引用例１、及び、引用例２に記載された発明から、当業者が予測できる範囲のものである。 
　
　したがって、本願補正発明は、引用例１、及び、引用例２に記載された発明に基づいて、当業者が容易に発明をすることができたものであるから、特許法２９条２項の規定により特許出願の際独立して特許を受けることができないものである。 
　
　加えて付言すると、平成１９年６月１日付の回答書に記載された補正案の請求項１に係る発明についても、次の理由により、引用例１、及び、引用例２に記載された発明に基づいて、当業者が容易に発明をすることができたものである。
［理由」
　導光部材の光出射面を除く側面を、「導光部材の各側面と対向する面が反射率の高い滑らかな面とされ、かつ導光部材を保持する光反射部材」によって覆うことは、前記慣用技術である。
　さらに、前記光反射部材を、「光ガイド部」の光反射部材と別体に形成するか否かは、導光部材の形状等に応じて適宜決定すべき事項にすぎない。
　したがって、補正案によって本願補正発明に追加された「導光部材の光出射面を除く側面は、光反射部材と別体に形成されとともに、各側面と対向する面が反射率が高い滑らかな面とされ、かつ導光部材を保持する別途の光反射部材によって覆われている」との事項は、当業者が実施の際に適宜行うべき事項である。
　
（５）むすび
　以上のとおり、本件補正は、特許法１７条の２第５項で準用する同法１２６条５項の規定に違反するものであり、同法１５９条１項で準用する同法５３条１項の規定により却下されるべきである。 
　
３．本願発明について
　平成１７年４月２７日付の手続補正は上記のとおり却下されたので、本願の請求項１に係る発明（以下、「本願発明」という。）は、平成１６年１２月２７日付手続補正書の特許請求の範囲の請求項１に記載された事項により特定される、以下のとおりのものである。
「光源と、一定長さを有する透明部材からなる導光部材と、所定の画像読み取りライン方向に並べられており、かつ所定の画像読み取り領域から進行してくる光を受光する複数の受光素子と、これら複数の受光素子を実装した回路基板とを具備し、かつ上記導光部材は、その長手方向端部内に入射してこの導光部材の長手方向に進行する光を上記画像読み取りライン方向に延びる一側面の全域または略全域から出射する、画像読み取り装置であって、
　上記光源は、上記回路基板に実装されており、かつ、　上記光源に対向する受光面を有するとともに、この受光面に進行してきた光を上記導光部材の長手方向端部内に入射させてからこの導光部材の長手方向に進行させる光ガイド部が、上記導光部材を構成する透明部材によって上記導光部材と一体または別体に形成されているとともに、
　上記光ガイド部は、上記受光面からこの光ガイド部内に入射した光を上記導光部材の長手方向中央部に向けて反射させる傾斜面を有しており、かつ、
　上記光ガイド部のうち、上記傾斜面からその両側面にわたる領域が、光反射部材または光反射材料によって覆われていることを特徴とする、画像読み取り装置。」
　
（１）引用例
　原査定の拒絶の理由に引用された引用例１、引用例２、及びその記載事項は、前記「２．（２）」に記載したとおりである。
　
（２）対比・判断
　本願発明は、前記「２．」で検討した本願補正発明から「光ガイド部」について具体的な限定を省いたものである。
　そうすると、本願発明の構成要件をすべて含み、さらに他の構成要件を付加したものに相当する本願補正発明が、前記「２．（４）」に記載したとおり、引用例１、及び、引用例２に記載された発明に基づいて当業者が容易に発明をすることができたものであるから、本願発明も同様の理由により、引用例１、及び、引用例２に記載された発明に基づいて、当業者が容易に発明をすることができたものである。
　
（３）むすび
　以上のとおり、本願発明は、引用例１、及び、引用例２に記載された発明に基づいて、当業者が容易に発明をすることができたものであるから、特許法２９条２項の規定により特許を受けることができない。
　したがって、本願は、他の請求項について検討するまでもなく、拒絶されるべきものである。
　よって、結論のとおり審決する。